(57)【要約】【課題】簡易なアダプティブアレイ受信処理により、干渉波を軽減できる無線通信方法を実現すること。【解決手段】複数のアンテナを備え伝送路推定部１１１と、受信信号合成部１１２から構成される送信信号推定手段を備えた受信手段と、受信局のアンテナ数に等しい複数のトレーニングシンボルｔを送信フレームの先頭に持つ信号を送信する送信手段との組み合わせからなる無線通信方法で、受信したトレーニングシンボルを正方行列ｒとしてアダプティブアレイ合成演算を行うことにより、ウェイトベクトルＷ＝ｔ／ｒで求めることが可能となり、簡易な演算でアダプティブアレイ合成が行える。【選択図】図１
2007060479.tif 000002
【特許請求の範囲】
【請求項１】
複数のアンテナと、
前記複数のアンテナから受信したトレーニング信号から伝送路を推定し合成のための重みベクトルを求める伝送路推定部と、前記重みベクトルに基づき受信信号の合成を行う受信信号合成部とから構成される送信信号推定手段と、
受信局のアンテナ数に等しい複数のトレーニング信号ｔを送信フレームの先頭に持つ信号を送信する送信手段からなる無線通信方法であって、
受信したトレーニング信号を正方行列ｒとして、
前記重みベクトルをＷ＝ｔ／ｒにより求める無線通信方法。
【請求項２】
前記受信局が制御信号に備え持つアンテナ数情報を制御信号に含み送信することを特徴とし、
前記送信局が前記制御信号を受信し前記受信局に対してアンテナ数に等しいトレーニング信号を送信信号フォーマットに生成し送信する、
請求項１記載の無線通信方法。
【請求項３】
重みベクトルに基づき受信信号の合成を行う第１の受信手段と、
最大電力比合成を行う第２の受信手段と、
前記第１または第２の受信手段を切り替える手段と、
受信データの誤り率を計算しその結果から前記第１または第２の受信手段のいずれかを選択する誤り率測定部とを備え、
受信状況に応じて前記受信手段を切り替える無線受信装置。
【発明の詳細な説明】
【技術分野】
【０００１】
本発明は無線受信装置に少なくとも２つ以上の複数のアンテナを備えた無線通信装置において干渉波を軽減した無線通信を実現する方法に関するもので、より具体的にはアダプティブアレイ合成方法に関するものである。
【背景技術】
【０００２】
従来の干渉波を軽減した無線通信方法としては、ＭＭＳＥアダプティブアレイによる受信手段がよく知られている。（非特許文献１参照）。これは、受信側でのトレーニング信号と実際のアレイ出力信号との誤差を最小にするように最適なウェイトを決定する手法である。
【０００３】
ここで、送信されたトレーニング信号をｔとして、受信局において受信された信号におけるトレーニングシンボル部分を行列ｒとすると、アダプティブアレイ合成する際のウェイトベクトルＷは、（数１）に示す式により求めることができる。
【０００４】
【数１】
2007060479.tif 000003
【０００５】
ここでＲｔｒはｔとｒの分散行列を表しており（数２）に示す式で表される。
【０００６】
【数２】
2007060479.tif 000004
【０００７】
同様にＲｒｒはｒの共分散行列を表しており、（数３）に示す式で表すことができる。
【０００８】
【数３】
2007060479.tif 000005
【０００９】
すなわち、前記（数１）におけるウェイトベクトルＷは、（数４）に示す式の演算により求めることができた。
【００１０】
【数４】
2007060479.tif 000006
【非特許文献１】「アレーアンテナによる適応信号処理」  菊間信良著  １９９８年１１月    科学技術出版（第３章３７頁）
【発明の開示】
【発明が解決しようとする課題】
【００１１】
しかしながら、前記従来のウェイトベクトルの算出方法では、アンテナ数に等しい要素数行列の乗除算が４回必要であり、実際のハードウェアによる演算回路は大きなものとなるため、小型で安価なことが要求される民生製品へは適さない受信手段であるという課題を有していた。
【００１２】
本発明は、前記従来の課題を解決するもので、簡易なアダプティブアレイ受信処理により、干渉波を軽減できる無線通信方法を実現することで、民生製品にも実装可能な干渉波を軽減できる無線通信方法を提供することを目的とする。
【課題を解決するための手段】
【００１３】
前記従来の課題を解決するために、本発明の無線通信方法では、送信局において受信局のアンテナ数に等しい数のトレーニングシンボルｔをフレームの先頭に付加して送信を行う。さらに受信局では、受信した信号のトレーニングシンボル部分を正方行列ｒとして扱い、合成時のウェイトをＷ＝ｔ／ｒにより求める。
【００１４】
本構成によって、本来のアダプティブアレイ合成演算と比較して少ない演算量で同等のアダプティブアレイ合成効果を得ることができる。
【発明の効果】
【００１５】
本発明の無線通信装置によれば、簡易なアダプティブアレイ受信処理により、干渉波を軽減した無線通信を行うことができる。
【発明を実施するための最良の形態】
【００１６】
以下本発明の実施の形態について、図面を参照しながら説明する。
【００１７】
（実施の形態１）
図１は、本発明の実施の形態１における無線通信装置の構成と送受信されるパケットの構成を示す図である。
【００１８】
図１において、１０１は無線送信装置を示しており、変調された送信信号１０２を生成しアップコンバータ１０３を通してアンテナ１０４より送信される。また、１０５は無線受信装置を示しており、第１のアンテナ１０６と第２のアンテナ１０７を備えている。前記１０５の無線受信装置で受信される信号は、それぞれのアンテナに接続された第１のダウンコンバータ１０８と第２のダウンコンバータ１０９を通り、送信信号推定部１１０に入力される。前記送信信号推定部１１０は、伝送路推定部１１１と受信信号合成部１１２から構成される。前記伝送路推定部１１１では、受信された信号フレームの先頭部分にある既知のトレーニング信号を用いて、２つのアンテナから受信された信号を合成する際の最適な重みベクトルＷを計算し、前記受信信号合成部１１２に出力する。前記受信信号合成部１１２は前記重みベクトルＷに基づいて、それぞれのアンテナからの信号に重み付けを行い合成信号として出力する。合成された信号は、送信信号推定値１１３として後段の復調回路において復調され、送信データを復号する。
【００１９】
また図１において、１００１は本発明の実施の形態１における送信信号のフレーム構成を示している。ここで送信信号フレーム１００１は、先頭部分に受信局側において既知である２つのトレーニングシンボルｔ１とｔ２が付加されており、ここでｔ１＝ｔ２である。変調された送信データは、前記２つのトレーニングシンボルの後に送信データシンボルとしてｘ１、ｘ２の順で配置されている。
【００２０】
ここで図１において、送信局側のアンテナ１０４から受信局側の第１のアンテナ１０６までの伝送路ベクトルをｈ１とし、同様に送信局側のアンテナ１０４から受信局側の第２のアンテナ１０７までの伝送路ベクトルをｈ２とする。図１に示す１００２は、前記送信信号１００１が伝送路ｈ１を通り前記受信局の第１のアンテナ１０６から受信された信号フォーマットであり、同様に１００３は前記送信信号１００１が伝送路ｈ２を通り前記受信局の第２のアンテナ１０７から受信された信号フォーマットを示すものである。さらに図１に示す１００４は、前記無線受信装置１０５の送信信号推定部１１０から出力される合成後の送信信号推定値である。以下、前記無線受信装置１０５の送信信号推定部１１０における合成処理について詳しく説明する。
【００２１】
まず送信信号フォーマットにおけるトレーニングシンボル部分を行列ｔで表すと、（数５）になる。
【００２２】
【数５】
2007060479.tif 000007
【００２３】
次に、受信局のそれぞれのアンテナから受信された信号におけるトレーニングシンボル部分を、行列ｒで表すと、（数６）となる。
【００２４】
【数６】
2007060479.tif 000008
【００２５】
ここで、ｒの行方向は時間軸における受信したトレーニングシンボルの要素が並び、列方向にはそれぞれ受信したアンテナ毎のトレーニングシンボルの要素が並ぶ。本実施の形態においてｒの各要素は、ｒ１１が第１のアンテナから受信した第１のトレーニングシンボルであり、以下同様にｒ１２が第１のアンテナから受信した第２のトレーニングシンボル、ｒ２１が第２のアンテナから受信した第１のトレーニングシンボル、ｒ２２が第２のアンテナから受信した第２のトレーニングシンボルである。
【００２６】
アダプティブアレイ合成する際の重みベクトルＷは、受信したトレーニングシンボルより前記（数１）に示す式により求めることができる。ここでＲｔｒはｔとｒの分散行列を表しており前記（数２）に示す式で表され、同様にＲｒｒはｒの共分散行列を表しており、前記（数３）に示す式で表すことができる。したがって、前記重みベクトルＷは、前記（数４）に示す式の行列計算により求めることができる。
【００２７】
ここで本実施の形態における行列ｒは、信号フォーマットにおけるトレーニングシンボル数が２であることと、受信局側のアンテナが２本であることから必ず行数２、列数２の正方行列が形成される。このことから前記（数４）に示した式は、（数７）に示した式で表すことが可能になり、本来のアダプティブアレイ合成と比較して小さな演算量で同等の合成結果を得ることができる。
【００２８】
【数７】
2007060479.tif 000009
【００２９】
以上のようにして求めた重みベクトルＷを用いて、図１の１１２に示す前記受信信号合成部では、受信した信号のデータシンボル部分の合成を行う。たとえば、各アンテナから受信した第１のデータシンボルをｄ１とするとｄ１は、（数８）に示す行列であり、合成後の送信データシンボルの推定値ｖ１は、（数９）に示す式により得ることができる。
【００３０】
【数８】
2007060479.tif 000010
【００３１】
【数９】
2007060479.tif 000011
【００３２】
以降のデータシンボルについても同様の処理を行うことでデータ部分の送信信号推定値を得ることができる。
【００３３】
したがってかかる構成によれば、信号フォーマットにおけるトレーニングシンボル数が２であることと、受信局側のアンテナが２本であることから本来のアダプティブアレイ合成と比較して小さな演算量で同等の合成結果を得ることができ、ついては干渉波を軽減した無線通信装置を提供することができる。
【００３４】
（実施の形態２）
続いて、アンテナ数が２を超える場合の処理について、アンテナ数３の場合を例に説明する。図２は、本発明の実施の形態２における無線通信装置の構成と送受信されるパケットの構成を示す図である。図２において、図１と同じ構成要素については同じ符号を用い、説明を省略する。
【００３５】
図２において、２０１は無線受信装置を示しており、第１のアンテナ２０２と第２のアンテナ２０３と第３のアンテナ２０４を備えている。前記２０１の無線受信装置で受信される信号は、それぞれのアンテナに接続された第１のダウンコンバータ２０５と第２のダウンコンバータ２０６と第３のダウンコンバータ２０７を通り、送信信号推定部２０８に入力される。前述の実施の形態１と同様、送信信号推定部２０８は、伝送路推定部２０９と受信信号合成部２１０から構成される。前記伝送路推定部２０９では、受信された信号フレームの先頭部分にある既知のトレーニング信号を用いて、３つのアンテナから受信された信号を合成する際の最適な重みベクトルＷを計算し、前記受信信号合成部２１０に出力する。前記受信信号合成部２１０は前記重みベクトルＷに基づいて、それぞれのアンテナからの信号に重み付けを行い合成信号として出力する。合成された信号は、送信信号推定値２１１として後段の復調回路において復調され、送信データを復号する。
【００３６】
また本発明の実施の形態２における送信信号のフレーム構成を図２の２００１に示している。ここで送信信号フレーム２００１は、先頭部分に受信局側において既知であるトレーニングシンボルｔ１、ｔ２およびｔ３が付加されており、ここでｔ１＝ｔ２＝ｔ３である。このトレーニングシンボル数は、相手受信局が持つアンテナ数と等しい数だけ送信信号フレームに含まれる。変調された送信データは、前記３つのトレーニングシンボルの後に送信データシンボルとしてｘ１、ｘ２の順で配置されている。
【００３７】
さらに前述の実施の形態１と同様、送信局側のアンテナ１０４から受信局側の第１のアンテナ２０２までの伝送路ベクトルをｈ１とし、同様に送信局側のアンテナ１０４から受信局側の第２のアンテナ２０３までの伝送路ベクトルをｈ２、送信局側のアンテナ１０４から受信局側の第３のアンテナ２０４までの伝送路ベクトルをｈ３とする。図２に示す２００２は、前記送信信号２００１が伝送路ｈ１を通り前記受信局の第１のアンテナ２０２から受信された信号フォーマットであり、同様に２００３は前記送信信号２００１が伝送路ｈ２を通り前記受信局の第２のアンテナ２０３から受信された信号フォーマット、２００４は前記送信信号２００１が伝送路ｈ３を通り前記受信局の第３のアンテナ２０４から受信された信号フォーマットを示すものである。さらに図２の２００５は、前記無線受信装置２０１の送信信号推定部２０８から出力される合成後の送信信号推定値である。以下、前記無線受信装置２０１の送信信号推定部２０８における合成処理について説明する。
【００３８】
まず送信信号フォーマットにおけるトレーニングシンボル部分を行列ｔで表すと、（数１０）となる。
【００３９】
【数１０】
2007060479.tif 000012
【００４０】
次に、受信局のそれぞれのアンテナから受信された信号におけるトレーニングシンボル部分を、行列ｒで表すと、（数１１）となる。
【００４１】
【数１１】
2007060479.tif 000013
【００４２】
以下、アダプティブアレイ合成する際の重みベクトルＷは前述の実施の形態１と同様の計算により求めることができ、前記（数７）に示す式となる。
【００４３】
以上のようにして求めた重みベクトルＷを用いて、図２の２１０に示す前記受信信号合成部で受信した信号のデータシンボル部分の合成を行う。たとえば、各アンテナから受信した第１のデータシンボルをｄ１とするとｄ１は、（数１２）に示す行列であり、合成後の送信データシンボルの推定値ｖ１は、（数１３）に示す式により得ることができる。
【００４４】
【数１２】
2007060479.tif 000014
【００４５】
【数１３】
2007060479.tif 000015
【００４６】
以降のデータシンボルについても同様の処理を行うことでデータ部分の送信信号推定値を得ることができる。
【００４７】
したがってかかる構成によれば、信号フォーマットにおけるトレーニングシンボル数が３であることと、受信局側のアンテナが３本であることから本来のアダプティブアレイ合成と比較して小さな演算量で同等の合成結果を得ることができ、ついては干渉波を軽減した無線通信装置を提供することができる。
【００４８】
また受信局におけるアンテナ数が４以上の場合においても、アンテナ数と等しい数のトレーニングシンボルを送信信号フォーマットに設けることで、前述の説明と同様の小さな演算量でのアダプティブアレイ合成処理が可能となる。
【００４９】
（実施の形態３）
図３は、本発明の実施の形態３における無線通信装置の構成と送受信されるパケットの構成を示す図である。
【００５０】
図３において、３０１と３０６、および３１３はそれぞれ無線通信端末を示しており、それぞれを無線端末Ａ、無線端末Ｂ、無線端末Ｃとする。さらにここで、無線端末Ａは、無線端末Ｂおよび無線端末Ｃに対してデータの送信を行うものとする。
【００５１】
無線端末Ａ３０１は、アンテナ３０２を備え、内部に前記アンテナに接続されたアップ／ダウンコンバータ３０３と、３０４に示す前記アップ／ダウンコンバータに接続され受信した制御信号から通信先端末のアンテナ数の情報を読み取り保持する部分と、前記３０４の情報に基づきそれぞれの端末毎に送信信号を生成する３０５に示す部分とから構成される。
【００５２】
無線端末Ｂ３０６は、第１のアンテナ３０７と第２のアンテナ３０８の２つのアンテナを備え、内部に前記第１のアンテナ３０７に接続される第１のアップ／ダウンコンバータ３０９と、前記第２のアンテナ３０８に接続される第２のアップ／ダウンコンバータ３１０を備える。さらに前記３０９と３１０の２つのアップ／ダウンコンバータはさらに３１１に示す制御信号を送信する部分と、受信部３１２に接続されている。
【００５３】
同様に無線端末Ｃ３１３は、第１のアンテナ３１４と第２のアンテナ３１５、第３のアンテナ３１６の３つのアンテナを備え、内部に前記第１のアンテナ３１４に接続される第１のアップ／ダウンコンバータ３１７と、前記第２のアンテナ３１５に接続される第２のアップ／ダウンコンバータ３１８、前記第３のアンテナ３１６に接続される第３のアップ／ダウンコンバータ３１９を備える。さらに前記３１７と３１８、３１９の３つのアップ／ダウンコンバータはさらに３２０に示す制御信号を送信する部分と、受信部３２１に接続されている。
【００５４】
また図２において、３００１は本発明の実施の形態３における無線端末Ｂ３０６に対しての送信信号のフレーム構成を示し、３００２は無線端末Ｃ３１３に対しての送信信号のフレーム構成を示している。さらに、３００３は無線端末Ｂ３０６が送信する制御信号の一部分を示し、同様に３００４は無線端末Ｃ３１３が送信する制御信号の一部分を示している。以下、図３に従って本発明の実施の形態３における各無線端末の動作を説明する。
【００５５】
まず無線端末Ａ３０１がデータを送信する前の時間において、無線端末Ｂ３０６が無線端末Ａ３０１に対して制御信号３１１の送信を行う。この制御信号の中には３００３に示すように無線端末Ｂ３０６が備えるアンテナ数が２であることを示した情報が含まれている。無線端末Ａ３０１が、無線端末Ｂ３０６からの制御信号を受信すると無線端末Ａ内部の３０４に示す部分が、無線端末Ｂのアンテナ数が２であることを読み取りこの情報を保持する。同様に今度は、無線端末Ｃ３１３が無線端末Ａ３０１に対して制御信号３２０の送信を行う。この制御信号の中には３００４に示すように無線端末Ｃ３１３が備えるアンテナ数が３であることを示した情報が含まれている。無線端末Ａ３０１が、無線端末Ｃ３１３からの制御信号を受信すると無線端末Ａ内部の３０４に示す部分は、無線端末Ｃのアンテナ数が３であることを読み取り、前述の無線端末Ｂのアンテナ数の情報とともに無線端末Ｃのアンテナ数情報も保持する。
【００５６】
次に、無線端末Ａ３０１が無線端末Ｂ３０６にデータを送信する場合、３０５の送信信号として、前記３０４に保持している無線端末Ｂのアンテナ数の情報から３００１に示すようなトレーニングシンボル数が２の送信フレームを生成し、送信を行う。同様に、無線端末Ａ３０１が無線端末Ｃ３１３にデータを送信する場合、３０５の送信信号として、前記３０４に保持している無線端末Ｃのアンテナ数の情報から３００２に示すようなトレーニングシンボル数が３の送信フレームを生成し、送信を行う。
【００５７】
こうすることにより、無線端末Ｂ３０６が無線信号を受信する際には、内部の受信部３１２において前述の実施の形態１におけるアダプティブアレイ合成の演算が可能になり、無線端末Ｃ３１３が無線信号を受信する際には、内部の受信部３２１において前述の実施の形態２におけるアダプティブアレイ合成の演算が可能になる。
【００５８】
したがってかかる構成によれば、データを送信する前の時間において制御信号の内部に各無線端末のアンテナ数を含む情報を伝達し、データ送信を行う無線端末が各相手先無線端末のアンテナ数の情報を保持して、それぞれの端末に対してアンテナ数と等しいトレーニングシンボルを含む送信フレームを生成し送信することで、常に小さな演算量でのアダプティブアレイ合成が実現できる。
【００５９】
（実施の形態４）
図４は、本発明の実施の形態４における無線受信装置の構成とその動作を示すフローチャートである。
【００６０】
図４において、４０１は無線受信装置を示しており、４０２に示す第１のアンテナと４０３に示す第２のアンテナを備える。前記それぞれのアンテナは４０４に示す第１のダウンコンバータと４０５に示す第２のダウンコンバータにそれぞれ接続される。さらに前記それぞれのダウンコンバータは、受信回路選択部４０６に接続されている。前記受信回路選択部４０６は、制御信号に従って入力した受信信号を４０７に示すアダプティブアレイ合成部か４０８に示す最大電力比合成部に出力する。さらに前記４０７のアダプティブアレイ合成部の出力と前記４０８の最大電力比合成部の出力は、４０９に示す受信信号選択部に接続されており、受信信号選択部４０９は制御信号に基づき２つの入力から１方を選択し、４１０に示す復調部に出力する。さらに前記復調部４１０で復調処理された信号は復号部４１１に出力され復号処理が行われる。復号されたデータは４１２に示す誤り率測定部に出力され、誤り率測定部４１２では単位時間におけるフレーム誤り率が計算され、ある設定された閾値を誤り率が超えると合成方法切り替えの制御信号を出力する。この合成方法切り替えの制御信号は、前記受信回路選択部４０６と前記受信信号選択部４０９に接続されている。なおここで示したアダプティブアレイ合成部４０７は前述の実施の形態１で示した受信方法を備えるものである。また最大比電力合成部４０８の機能は、２つのアンテナから受信した信号をこの信号電力と雑音電力の比が最大となるように合成するものである。
【００６１】
また図４において、４００１は本発明の実施の形態４における無線受信装置の動作を簡潔に表したフローチャートである。以下、図４に従って本発明の実施の形態４における無線受信装置の動作を説明する。ここでは、前記設定された誤り率の閾値を１０％として説明を行う。
【００６２】
図４の４００１に示すように、本実施の形態における無線受信装置はアダプティブアレイ合成による受信処理を行い、受信信号を復調している。復調された受信信号は複号され誤り率測定部４１２で受信フレームごとの誤りを検出し、一定時間ごとにフレーム誤り率を算出している。この誤り率が１０％以内の場合は、アダプティブアレイ合成による受信を継続する。しかし前記誤り率測定部４１２においてフレーム誤り率が１０％を超えると、合成方法切り替えの制御信号を出力し、この信号を受けて前記受信回路選択部４０６と受信信号選択部４０９は、受信処理をアダプティブアレイ合成から最大電力比合成に切り替える。
【００６３】
同様に最大比電力合成により復調された受信信号は複号された後、誤り率測定部４１２で受信フレームごとの誤りを検出し、一定時間ごとにフレーム誤り率を算出する。この誤り率が１０％以内の場合は、最大比電力合成による受信を継続する。しかし前記誤り率測定部４１２においてフレーム誤り率が１０％を超えると、合成方法切り替えの制御信号を出力し、再び前記受信回路選択部４０６と受信信号選択部４０９は、受信処理を最大比電力合成からアダプティブアレイ合成による受信に切り替える。以降、フレーム誤り率が１０％を超えるごとに以上の動作を繰り返す。
【００６４】
本発明におけるアダプティブアレイ合成による受信方法は、干渉波が存在する場合においてはこの干渉波を抑圧した受信信号が得られるため有用な受信手段であるが、ガウス雑音などの指向性を持たない不要信号に対しては最大比電力合成がより有効な受信方法となる。
【００６５】
したがってかかる構成によれば、復号した受信信号の誤り率を算出し、設定された閾値を超えた時点でアダプティブアレイ合成法と最大電力比合成法との受信手段を切り替えて受信する機能を備えることにより、干渉波に対してもガウス雑音に対しても一定の通信品質を保つことができる無線受信装置を実現することができる。
【産業上の利用可能性】
【００６６】
本発明にかかる無線通信装置は、受信局でのアダプティブアレイ合成手段を有し、干渉信号が存在する環境においても信頼性の高い通信が行え、無線ＬＡＮ装置等として有用である。また無線によって複数の家電製品等の接続を行う宅内内無線ネットワーク機器への応用もできる。
【図面の簡単な説明】
【００６７】
【図１】本発明の実施の形態１における無線通信装置の構成図
【図２】本発明の実施の形態２における無線通信装置の構成図
【図３】本発明の実施の形態３における無線通信装置の構成と送受信されるパケットの構成を示す図
【図４】本発明の実施の形態４における無線受信装置の構成とその動作を示すフローチャート
【符号の説明】
【００６８】
１０１    無線送信装置
１０２    送信信号
１０３    アップコンバータ
１０４    送信局アンテナ
１０５    無線受信装置
１０６    受信局第１のアンテナ
１０７    受信局第２のアンテナ
１０８    第１のダウンコンバータ
１０９    第２のダウンコンバータ
１１０    送信信号推定部
１１１    伝送路推定部
１１２    受信信号合成部
１１３    合成後の送信信号推定値
１００１    送信信号１０２における信号フレーム
１００２    第１のダウンコンバータ１０８通過後の信号フレーム
１００３    第２のダウンコンバータ１０９通過後の信号フレーム
１００４    受信信号合成後の信号フレーム
２０１    無線受信装置
２０２    受信局第１のアンテナ
２０３    受信局第２のアンテナ
２０４    受信局第３のアンテナ
２０５    第１のダウンコンバータ
２０６    第２のダウンコンバータ
２０７    第３のダウンコンバータ
２０８    送信信号推定部
２０９    伝送路推定部
２１０    受信信号合成部
２１１    合成後の送信信号推定値
２００１    送信信号発生部１０２における信号フレーム
２００２    第１のダウンコンバータ１０８通過後の信号フレーム
２００３    第２のダウンコンバータ１０９通過後の信号フレーム
２００４    第３のダウンコンバータ１０９通過後の信号フレーム
２００５    受信信号合成後の信号フレーム
３０１    無線端末Ａ
３０２    無線端末Ａのアンテナ
３０３    無線端末Ａのアップ／ダウンコンバータ
３０４    相手先端末毎のアンテナ数情報
３０５    無線端末Ａの送信信号
３０６    無線端末Ｂ
３０７    無線端末Ｂの第１のアンテナ
３０８    無線端末Ｂの第２のアンテナ
３０９    無線端末Ｂの第１のアップ／ダウンコンバータ
３１０    無線端末Ｂの第２のアップ／ダウンコンバータ
３１１    無線端末Ｂの制御信号
３１２    無線端末Ｂの受信部
３１３    無線端末Ｃ
３１４    無線端末Ｃの第１のアンテナ
３１５    無線端末Ｃの第２のアンテナ
３１６    無線端末Ｃの第３のアンテナ
３１７    無線端末Ｃの第１のアップ／ダウンコンバータ
３１８    無線端末Ｃの第２のアップ／ダウンコンバータ
３１９    無線端末Ｃの第３のアップ／ダウンコンバータ
３２０    無線端末Ｃの制御信号
３２１    無線端末Ｃの受信部
３００１    無線端末Ａにおける無線端末Ｂに向けた送信信号フレーム
３００２    無線端末Ａにおける無線端末Ｃに向けた送信信号フレーム
３００３    無線端末Ｂにおける制御信号フレームの一部
３００４    無線端末Ｃにおける制御信号フレームの一部
４０１    無線受信装置
４０２    第１のアンテナ
４０３    第２のアンテナ
４０４    第１のダウンコンバータ
４０５    第２のダウンコンバータ
４０６    受信回路選択部
４０７    アダプティブアレイ合成部
４０８    最大電力比合成部
４０９    受信信号選択部
４１０    復調部
４１１    復号部
４１２    誤り率測定部
４００１    無線受信装置の動作を示したフローチャート
【図１】
2007060479.tif 000016
【図２】
2007060479.tif 000017
【図３】
2007060479.tif 000018
【図４】
2007060479.tif 000019